(57)【要約】      （修正有）【課題】壁や床などに張る小片状の薄板のタイルであって、木材と竹材とで装飾性の高いタイルを提供する。【解決手段】壁面や床に配置して、前記壁面や前記床を保護および装飾する小片状の薄板のタイル１００であって、タイルの外形を形成する木材部材１０と、木材部材の表面に配置して、タイルを装飾する竹材部材１１とを有し、木材部材は、壁面または床に配置する面とは対向する表面に複数の溝部を備え、複数の竹材部材は、複数の溝部にそれぞれ配置される。【選択図】図１
0003229503.tif 000002
【実用新案登録請求の範囲】
【請求項１】
壁面や床に配置して、前記壁面や前記床を保護および装飾する小片状の薄板のタイルであって、
前記タイルの外形を形成する木材部材と、
前記木材部材の表面に配置して、前記タイルを装飾する竹材部材と
を有し、
前記木材部材は、前記壁面または前記床に配置する面とは対向する前記表面に複数の溝部を備え、
複数の前記竹材部材は、複数の前記溝部にそれぞれ配置される、
ことを特徴とする、タイル。
【請求項２】
前記溝部は、直線および／または曲線の形状の溝である、
ことを特徴とする、請求項１に記載のタイル。
【請求項３】
請求項１または請求項２のいずれか一項に記載のタイルを複数並べて、装飾品を形成する、ことを特徴とするタイルの組合せセット。
【考案の詳細な説明】
【技術分野】
【０００１】
本考案は、壁や床などに張る小片状の薄板のタイルである。また、本考案は、壁や床などに張る小片状の薄板のタイルを複数並べたタイルの組合せセットであってもよい。
【背景技術】
【０００２】
表面が陶磁器製またはガラス質で、凹凸が少なく、汚れが付きにくいタイルが知られている。特許文献１では、壁面に敷き詰めて使用可能な平面外形を備えた装飾タイルであって、装飾形成部材と該装飾形成部材を着脱自在に保持するタイル枠体とを備え、前記装飾形成部材は、湿度及び／ 又は温度により伸縮する剛性材質の剛性装飾層を備え、前記タイル枠体は、前記装飾形成部材の伸び方向の両端部を、伸び量を吸収して覆うモール部を備え、該モール部は前記装飾形成部材を着脱自在に保持する構成であることを特徴とする装飾タイルに関する技術を開示している。特許文献２では、タイル原料を成形した成形体の少なくとも一面に、釉薬を所定の水溶液で分散した分散液を塗布し、焼成してなるタイルであって、前記水溶液には、水溶性の熔融材が溶解していることを特徴とする、タイルに関する技術を開示している。
【先行技術文献】
【特許文献】
【０００３】
【特許文献１】特開２００５−２００８９８号公報
【特許文献２】特開２０１９−１４６１８号公報
【考案の概要】
【考案が解決しようとする課題】
【０００４】
和風建築やその他環境に配慮した印象を与える装飾のタイルが求められている。
【０００５】
本考案は、壁や床などに張る小片状の薄板のタイルであって、木材と竹材とで装飾性の高いタイルを提供することを目的とする。また、本考案は、壁や床などに張る小片状の薄板のタイルを複数並べたタイルの組合せセットであって、木材と竹材とで装飾性の高いタイルを複数並べたタイルの組合せセットを提供することを目的としてもよい。
【課題を解決するための手段】
【０００６】
上記課題を解決するために、本考案の一つの実施形態は、壁面や床に配置して、前記壁面や前記床を保護および装飾する小片状の薄板のタイルであって、前記タイルの外形を形成する木材部材と、前記木材部材の表面に配置して、前記タイルを装飾する竹材部材とを有し、前記木材部材は、前記壁面または前記床に配置する面とは対向する前記表面に複数の溝部を備え、複数の前記竹材部材は、複数の前記溝部にそれぞれ配置される、ことを特徴とする、タイルを提供する。
【０００７】
本考案の他の実施形態は、上記のタイルであって、前記溝部は、直線および／または曲線の形状の溝である、ことを特徴とする、タイルであってもよい。
【０００８】
本考案の他の実施形態は、上記のいずれか１つのタイルを複数並べて、装飾品を形成する、ことを特徴とするタイルの組合せセットであってもよい。
【考案の効果】
【０００９】
本考案に係るタイルによれば、壁や床などに張る小片状の薄板のタイルであって、木材と竹材とで装飾性の高いタイルを提供することができる。また、本考案に係るタイルの組合せセットによれば、壁や床などに張る小片状の薄板のタイルを複数並べたタイルの組合せセットであって、木材と竹材とで装飾性の高いタイルの組合せセットを提供することができる。
【図面の簡単な説明】
【００１０】
【図１】本考案の実施形態に係るタイルの表面の一例を説明する説明図である。
【図２】本考案の実施形態に係るタイルの側面の一例を説明する説明図である。
【図３】本考案の実施形態に係るタイルの一例を説明する写真図である。
【図４】本考案の実施形態に係るタイルの組合せセットの一例を説明する写真図である。
【図５】本考案の実施形態に係るタイルの組合せセットのその他の例を説明する写真図である。
【考案を実施するための形態】
【００１１】
実施形態に係るタイルの例を用いて、本考案を説明する。なお、本考案は、以後に説明するタイルまたはタイルの組合せセット以外でも、壁面や床等を保護および装飾する小片状の薄板のもの（装置、部品、システムなど）であれば、いずれのものにも用いることができる。なお、タイルの大きさは、とくに限定されず、使用する対象（壁や床等）の大きさに応じて、設計、実験、計算などで予め定められる大きさとすることができる。
【００１２】
下記にて、各構成を具体的に説明する。
【００１３】
図１乃至図５を用いて、本考案の実施形態に係るタイルおよびタイルの組合せセットの構成を説明する。ここで、図１は、本考案の実施形態に係るタイル１００の表面の一例を説明する説明図である。図２（ａ）は、本考案の実施形態に係るタイル１００の側面の一例を説明する説明図である。図２（ｂ）は、本考案の実施形態に係るタイル１００の拡大領域Ｓｂ（図２（ａ））を説明する拡大図である。図２（ｃ）は、本考案の実施形態に係るタイル１００の拡大領域Ｓｂ（図２（ａ））の溝部１０Ａを説明する拡大図である。図３（ａ）は、本考案の実施形態に係るタイルの表面の例を説明する写真である。図３（ｂ）は、本考案の実施形態に係るタイルの側面の例を説明する写真である。図４は、本考案の実施形態に係るタイルの組合せセット１００Ｓ１の一例を説明する写真である。図５は、本考案の実施形態に係るタイルの組合せセット１００Ｓ２の一例を説明する写真である。なお、図１等に示すタイルの構成等は一例であり、本考案は図１等に示すタイル等に限定されるものではない。
【００１４】
図１に示すように、本考案に係るタイル１００は、壁面や床等に配置して、壁面や床等を保護および装飾する小片状の薄板である。本考案に係るタイル１００は、タイルの外形を形成する木材部材１０と、タイルを装飾する竹材部材１１とを有する。なお、本考案に係る木材部材および竹材部材の材質、形状および大きさは、とくに限定されない。また、本考案に係る木材部材および竹材部材の材質、形状および大きさは、配置する壁面や床等に応じて、設計、実験、計算などで予め定められる材質、形状および大きさとすることができる。図３に、本考案に係るタイルの一例を示す。
【００１５】
木材部材１０は、図１および図２に示すように、タイルの外形を形成する木材である。木材部材１０は、本実施形態では、複数の板材を積層して形成される。なお、本考案に係る木材部材の積層する板材の枚数は、とくに限定されない。本考案に係る木材部材は、一枚板であってもよい。
【００１６】
木材部材１０は、図２（ｃ）に示すように、壁面または床に配置する面とは対向する表面に複数の溝部１０Ａを備える。木材部材１０の溝部１０Ａは、タイルを装飾する竹材部材１１（図２（ｂ）の１１ａ）を配置される。本考案に係る溝部は、直線および／または曲線の形状の溝であってもよい。また、本考案に係る溝部の形状および大きさは、配置する壁面や床等および装飾に応じて、設計、実験、計算などで予め定められる形状および大きさとすることができる。
【００１７】
竹材部材１１（１１ａ、１１ｂ、１１ｃ、１１ｄ、１１ｅ）は、図１および図２に示すように、木材部材１０の表面に配置して、タイルを装飾する竹材である。竹材部材１１（１１ａ、１１ｂ、１１ｃ、１１ｄ、１１ｅ）は、本実施形態では、複数の溝部１０Ａ（図２（ｃ））等に、それぞれ配置される。なお、本考案に係る竹材部材の数は、とくに限定されない。本考案に係る竹材部材は、一つであってもよい。また、本考案に係る竹材部材の形状および大きさは、配置する木材部材（溝部）および装飾に応じて、設計、実験、計算などで予め定められる形状および大きさとすることができる。
【００１８】
図４および図５に示すように、本考案に係るタイルの組合せセット（１００Ｓ１、１００Ｓ２）は、上記のタイルを複数並べて、装飾品を形成したものである。なお、本考案に係るタイルの組合せセットにおいて、配置するタイルの数は、とくに限定されない。本考案に係るタイルの組合せセットにおいて、配置するタイルの数および位置は、配置する壁面や床等に応じて、設計、実験、計算などで予め定められる数および位置とすることができる。これにより、本考案に係るタイルの組合せセットは、デザイン性が高く、シンプルな幾何学模様を組み合わせることにより現代建築の新たな和モダンを演出できる。また、本考案に係るタイルの組合せセットは、部分的な装飾パーツとして、室内の模様替えに利活用でき、オリジナルな模様を創ることができ、コストパフォーマンスにも優れている。
【００１９】
以上のとおり、本考案に係るタイルおよびタイルの組合せセットによれば、竹材部材を用いて装飾することができるので、和風建築やその他環境に配慮した印象を与えるデザイン性の高いタイルとすることができる。また、本考案に係るタイルおよびタイルの組合せセットによれば、竹材部材を用いて装飾することができるので、現代様式にマッチした竹材の用途を創造することができる。また、本考案に係るタイルおよびタイルの組合せセットによれば、竹材部材を用いて装飾することができるので、洋風インテリアの需要に対応して、竹材を活用した新たな市場開拓することができる。また、本考案に係るタイルおよびタイルの組合せセットによれば、竹材部材を用いて装飾することができるので、木材の溝を掘り、竹を埋め込む方法で製造することができ、多彩な模様を製造することができる。また、本考案に係るタイルおよびタイルの組合せセットによれば、竹材部材を用いて装飾することができるので、竹材と木材を融合させることにより室内建材として新たな市場を開拓することができる。また、本考案に係るタイルおよびタイルの組合せセットによれば、竹材部材を用いて装飾することができるので、日本の伝統竹細工の技術を新たな分野（室内装飾調度品）に応用でき、コストや製作時間の軽減効率化が可能となり、様々な種類のツキ板と多様な竹籤パターンを組み合わせすることにより多様なニーズに対応可能となり、室内装飾の新たな需要を開拓することができる。また、本考案に係るタイルおよびタイルの組合せセットによれば、竹材部材を用いて装飾することができるので、天然素材（竹）を用いることで建材分野の脱炭素にも貢献でき、持続可能な開発目標（SDGｓ）にも対応でき、西日本全域で発生している竹害の問題解決にも貢献することができる。
【００２０】
以上のとおり、本考案に係る実施形態について説明したが、本考案は上記の実施形態に限定されるものではない。すなわち、本考案は、実用新案登録請求の範囲に記載の内容に基づいて、様々に変形、変更又はその他任意に改変され得る。
【符号の説明】
【００２１】
１００  ：  タイル
１００Ｓ１，１００Ｓ２  ：  タイルの組合せセット
１０  ：  木材部材
１０Ａ：  溝部
１１，１１ａ，１１ｂ，１１ｃ，１１ｄ，１１ｅ  ：  竹材部材
Ｓｂ  ：  拡大領域
【図１】
0003229503.tif 000003
【図２】
0003229503.tif 000004
【図３】
0003229503.tif 000005
【図４】
0003229503.tif 000006
【図５】
0003229503.tif 000007